(57)【要約】  システムおよび関連する技法が、比較的単純な挿入および送信方式を使用する電子メールメッセージへのデジタル画像または他の媒体の追加を管理する。ユーザは、媒体サーバに自動的にパブリッシュされる画像または他の媒体の比較的低解像度バージョンを電子メールメッセージに挿入または埋め込むことを選択することができる。その媒体対応メッセージの受信側は、電子メールクライアントまたは他のクライアントを使用する通常の形で、低解像度画像と一緒に電子メールテキストメッセージを受信し、見ることができる。受信側は、たとえばカーソルを移動し、選択される画像または他のオブジェクトをクリックすることによって、これらの画像をリンクまたはアクティブ化することによって、より高い解像度で組み込まれた画像の１つまたは複数を見ることを選択することができる。電子メールペイン内から画像または他の媒体オブジェクトをアクティブ化することによって、ユーザが、メディアサーバのウェブページに透過的にトランスポートされて、たとえばメディアプレイヤを使用して、その画像のより高い解像度バージョンを見ることができる。ビデオ、オーディオ、および他の媒体を、同様にメッセージに挿入することができる。したがって、送信側は、増やされたダウンロード時間あるいはストレージ要件で受信側の電子メールクライアントまたは他のクライアントに負荷をかけずに、選択された受信側とさまざまな画像、オーディオ、ビデオ、または他の媒体を共有することができる。
2007513423.tif 000002
【特許請求の範囲】
【請求項１】
メッセージに埋め込まれた媒体を選択的に提示するシステムであって、媒体対応メッセージを受信する入力インタフェースと、前記入力インタフェースと通信し、ユーザに前記媒体対応メッセージを提示し、前記ユーザが前記媒体対応メッセージ内の少なくとも１つの媒体オブジェクトを選択できるようにするメッセージングクライアントと、前記メッセージングクライアントと通信し、前記少なくとも１つの媒体オブジェクトの質の向上した表現を前記ユーザに提示するメディアプレイヤとを備えたことを特徴とするシステム。
【請求項２】
前記媒体対応メッセージは、電子メールを含むことを特徴とする請求項１に記載のシステム。
【請求項３】
前記メッセージングクライアントは、電子メールクライアントを含むことを特徴とする請求項２に記載のシステム。
【請求項４】
前記少なくとも１つの媒体オブジェクトは、グラフィカル画像、オーディオストリーム、およびビデオストリームの少なくとも１つを含むことを特徴とする請求項１に記載のシステム。
【請求項５】
前記少なくとも１つの媒体オブジェクトは、グラフィカル画像を含み、前記グラフィカル画像の前記質の向上した表現は、前記グラフィカル画像の質の向上したバージョンを含むことを特徴とする請求項１に記載のシステム。
【請求項６】
前記メディアプレイヤは、スライドショープレイヤ、オーディオプレイヤ、およびビデオプレイヤの少なくとも１つを含むことを特徴とする請求項１に記載のシステム。
【請求項７】
前記少なくとも１つの媒体オブジェクトの前記選択は、前記少なくとも１つの媒体オブジェクトを介するリンクのアクティブ化を含むことを特徴とする請求項１に記載のシステム。
【請求項８】
前記メディアプレイヤは、前記メッセージングクライアントと一体化されることを特徴とする請求項１に記載のシステム。
【請求項９】
前記メディアプレイヤは、前記メッセージングクライアントから分離されることを特徴とする請求項１に記載のシステム。
【請求項１０】
前記メディアプレイヤは、前記ユーザによって選択された前記少なくとも１つの媒体オブジェクトの前記質の向上した表現を取り出すために、少なくとも１つの媒体サーバと通信することを特徴とする請求項１に記載のシステム。
【請求項１１】
メッセージに埋め込まれた媒体を選択的に提示する方法であって、媒体対応メッセージを受信するステップと、前記媒体対応メッセージをユーザに提示するステップと、前記媒体対応メッセージ内の少なくとも１つの媒体オブジェクトを選択するために前記ユーザから入力を受け取るステップと、前記少なくとも１つの媒体オブジェクトの質の向上した表現を前記ユーザに提示することを備えることを特徴とする方法。
【請求項１２】
前記媒体対応メッセージは、電子メールを含むことを特徴とする請求項１１に記載の方法。
【請求項１３】
前記少なくとも１つの媒体オブジェクトは、グラフィカル画像、オーディオストリーム、およびビデオストリームの少なくとも１つを含むことを特徴とする請求項１１に記載の方法。
【請求項１４】
前記少なくとも１つの媒体オブジェクトは、グラフィカル画像を含み、前記グラフィカル画像の前記質の向上した表現は、前記グラフィカル画像の質の向上したバージョンを含むことを特徴とする請求項１１に記載の方法。
【請求項１５】
前記少なくとも１つの媒体オブジェクトの前記選択は、前記少なくとも１つの媒体オブジェクトを介するリンクのアクティブ化を含むことを特徴とする請求項１１に記載の方法。
【請求項１６】
前記ユーザによって選択された前記少なくとも１つの媒体オブジェクトの前記質の向上した表現を取り出すために、少なくとも１つの媒体サーバと通信することをさらに含むことを特徴とする請求項１１に記載の方法。
【請求項１７】
媒体対応メッセージを生成するシステムであって、ユーザが少なくとも１つの媒体オブジェクトを媒体対応メッセージに選択的に埋め込むことを可能にするセレクタモジュールと、前記セレクタモジュールと通信し、前記媒体対応メッセージの受信側にとってアクセス可能な前記少なくとも１つの媒体オブジェクトの質の向上した表現をパブリッシュする、アップローダモジュールを備えたことを特徴とするシステム。
【請求項１８】
前記媒体対応メッセージは、電子メールを含むことを特徴とする請求項１７に記載のシステム。
【請求項１９】
前記アップローダモジュールは、前記媒体対応メッセージを電子メールクライアントに通信することを特徴とする請求項１８に記載のシステム。
【請求項２０】
前記媒体対応メッセージは、前記電子メールクライアント内で非媒体対応メッセージと別々にキューイングされることを特徴とする請求項１９に記載のシステム。
【請求項２１】
前記アップローダモジュールは、前記ユーザによって選択された前記少なくとも１つの媒体オブジェクトの前記質の向上した表現を少なくとも１つの媒体サーバに記憶することを特徴とする請求項１に記載のシステム。
【請求項２２】
埋め込まれた媒体オブジェクトを選択的に提示するために可読の媒体対応メッセージであって、少なくとも１つの媒体オブジェクトの質の向上した表現にアクセスするためにユーザによって選択可能である少なくとも１つの媒体オブジェクトと、メディアプレイヤへのインタフェースとを含み、前記メディアプレイヤは、前記少なくとも１つの媒体オブジェクトの前記質の向上した表現を前記ユーザに提示するために前記少なくとも１つの媒体オブジェクトの前記選択によってアクティブ化されることを特徴とする媒体対応メッセージ。
【請求項２３】
前記媒体対応メッセージは、電子メールを含むことを特徴とする請求項２２に記載の媒体対応メッセージ。
【請求項２４】
前記少なくとも１つの媒体オブジェクトは、グラフィカル画像、オーディオストリーム、およびビデオストリームの少なくとも１つを含むことを特徴とする請求項２２に記載の媒体対応メッセージ。
【請求項２５】
前記少なくとも１つの媒体オブジェクトは、グラフィカル画像を含み、前記グラフィカル画像の前記質の向上した表現は、前記グラフィカル画像の質の向上したバージョンを含むことを特徴とする請求項２４に記載の媒体対応メッセージ。
【請求項２６】
前記メディアプレイヤは、前記ユーザによって選択された前記少なくとも１つの媒体オブジェクトの前記質の向上した表現を取り出すために、少なくとも１つの媒体サーバと通信することを特徴とする請求項２２に記載の媒体対応メッセージ。
【発明の詳細な説明】
【技術分野】
【０００１】
本発明は、通信の分野に関し、より詳細には、受信側による選択的表示のためにリンク可能高解像度画像または他の媒体をシームレスに組み込んだ電子メールまたは他のメッセージを生成するプラットフォームおよび技法に関する。
【背景技術】
【０００２】
デジタルカメラ、デジタルカメラを装備したセル電話機、ビデオカメラ、および他のイメージングデバイスの急増は、消費者の側で、写真および他の媒体を共有することへの対応する興味につながっている。消費者がアップロードするカメラショットを受け入れ、サービスする専用ウェブサービスが存在するが、その媒体を準備し、アップロードし、共有するのに必要なステップは、一部のユーザにとって不都合となる可能性がある。
【０００３】
その一方で、多くのユーザは、電子メールによってデジタル写真または他の媒体を共有することを好み、またはそれに立ち返り、友人および他者への電子メールメッセージに直接にＪＰＧ（Ｊｏｉｎｔ  Ｐｈｏｔｏｇｒａｐｈｉｃ  Ｅｘｐｅｒｔｓ  Ｇｒｏｕｐ）または他のデジタル写真ファイルを埋め込むか添付することを選択する可能性がある。しかし、デジタル写真、ビデオクリップ、オーディオクリップ、または他の媒体を交換する媒体としての普通の電子メールサービスの使用は、著しい短所を有する。たとえば、高解像度デジタル写真は、サイズが数メガバイトに達する可能性がある。それ以上のサイズのファイルを電子メールサービスを介して送信する試みによって、送信側の電子メールクライアントが完全にダウンするか、開くのにかなりの時間を要するコンテンツで受信側のインボックスの機能が妨げられる可能性がある。場合によっては、大きい電子メール添付ファイルを全く送信できない。
【０００４】
ユーザは、その代わりに、写真または他の媒体の低解像度バージョンを生成して、この送信および記憶の問題を軽減する助けとすることができる。一部の電子メールクライアントは、同様に、ユーザが、発信電子メールメッセージに画像の低解像度バージョンを埋め込むか添付することを許容する場合がある。これらのさまざまなより小さいバージョンに、たとえば、１００×１００画素前後程度のサムネイルまたはウェブ対応画像を含めることができる。これによって、受信側が、元の画像の表現を見られるようになるが、その表現は、画像の印刷または他の操作を許容するには解像度が低すぎる可能性がある。他の問題および短所が、現在の媒体共有技術に存在する。
【発明の開示】
【発明が解決しようとする課題】
【０００５】
従来のシステムには上述したような種々の問題があり、さらなる改善が望まれている。
【０００６】
本発明は、このような状況に鑑みてなされたもので、その目的とするところは、パブリッシュ−アンド−センド（ｐｕｂｌｉｓｈ−ａｎｄ−ｓｅｎｄ）機能を有する媒体対応（ｍｅｄｉａ−ｅｎａｂｌｅｄ）メッセージングのシステムおよび方法を提供することにある。
【課題を解決するための手段】
【０００７】
従来技術の上記および他の問題を克服する本発明は、１つの点で、送信側が電子メールメッセージまたは他のメッセージオブジェクトにデジタル写真、ビデオクリップ、オーディオファイル、オーディオサンプル、または他の媒体を挿入できるようにする、パブリッシュ−アンド−センド（ｐｕｂｌｉｓｈ−ａｎｄ−ｓｅｎｄ）機能を有する媒体対応（ｍｅｄｉａ−ｅｎａｂｌｅｄ）メッセージングのシステムおよび方法に関する。画像は、たとえばユーザが共有を望む画像の縮小サイズバージョンまたは低解像度バージョンの形で、リンク可能媒体オブジェクトとして自動的に埋め込むか添付することができる。コンポジションインタフェース（ｃｏｍｐｏｓｉｔｉｏｎ  ｉｎｔｅｒｆａｃｅ）によって、ユーザが、これらの画像を配置し、たとえばウェブサイトに配置される、媒体サーバまたは他のリソースに、フル解像度または他の形で質の向上した表現を自動的にパブリッシュすることを可能にすることができる。電子メール受信側または他の受信側が、このメッセージを受信する時に、受信側は、メッセージに埋め込まれた比較的低解像度のリンク可能媒体オブジェクトを見ることができ、これらのオブジェクトの１つまたは複数を選択して、詳細に見ることができる。リンク可能媒体オブジェクトをアクティブ化することによって、メディアプレイヤまたは他のクライアントアプリケーションをシームレスに呼び出して、受信側を関連するウェブサイトまたは他の配布リソースにトランスポートすることができる。受信側は、写真または他の媒体の質の向上した表現を、見る、聞く、ダウンロードし記憶する、または他の形で操作することができる。したがって、媒体対応メッセージの送信側および受信側の両方が、通常の電子メール操作以外のステップを実行する必要なしに、挿入された写真またはの媒体を透過的に操作することができる。
【発明を実施するための最良の形態】
【０００８】
図１に、本発明の実施形態による、媒体対応メッセージングのシステムおよび方法がその中で動作できる全体的なネットワークアーキテクチャを示す。この図からわかるように、ユーザの組１０２の１人または複数のユーザが、パーソナルコンピュータ、ワークステーション、携帯情報端末、ネットワーク対応セル電話機、あるいは他のクライアントまたはデバイスを使用して、ネットワーク１０４を介して互いに通信することができる。ネットワーク１０４は、たとえば、インターネット、イントラネット、ローカルエリアネットワーク（ＬＡＮ）、あるいは他のローカルネットワークまたはリモートネットワークを含むか、これとインタフェースすることができる。ユーザは、グラフィカルユーザインタフェース、コマンドラインインタフェース、音声作動のインタフェース、または他のインタフェースなどのユーザインタフェース１１２を操作して、本発明によるメッセージング機能を実行することができる。
【０００９】
ユーザは、より具体的には、本発明の実施形態の媒体対応メッセージング機能を使用して、１つまたは複数の媒体対応メッセージ１１０を生成し、パブリッシュし、記憶し、交換することができる。実施形態では、媒体対応メッセージ１１０を、電子メールクライアントによって送信される電子メールメッセージとするか、それを含めることができるが、他のタイプおよびフォーマットのメッセージングおよびメッセージを使用できることを理解されたい。ある点で、本発明によれば、ユーザの組１０２のユーザは、電子メールサーバ１０６の組を介して媒体対応メッセージ１１０を受信することができ、電子メールサーバ１０６の組に、１つまたは複数のＰＯＰ（ｐｏｓｔ  ｏｆｆｉｃｅ  ｐｒｏｔｏｃｏｌ）サーバ、ＩＭＡＰ（Ｉｎｔｅｒｎｅｔ  ｍｅｓｓａｇｅ  ａｃｃｅｓｓ  ｐｒｏｔｏｃｏｌ）、または他を含めることができる。図からわかるように、媒体対応メッセージ１１０の受信側は、メッセージを受信し、見ることができ、本明細書で説明するように、媒体サーバ１０８および他のリソースを介して、そのメッセージに関連する質の向上したコンテンツにアクセスすることができる。
【００１０】
図２により具体的に示されているように、媒体対応メッセージ１１０に、電子メールアドレス、日付、時刻、件名、および他のデータとするかこれらを含めることができるメッセージヘッダ１１４、ならびにリンク可能媒体オブジェクト１１６の組を含めることができる。図からわかるように、リンク可能媒体オブジェクト１１６の組は、比較的小さいか適度な解像度のグラフィカル画像とするか、これを含めることができる。この画像は、たとえば、デジタルカメラ、カメラを装備したセル電話機、または他のタイプの画像からユーザによってダウンロードされ、たとえば．ＪＰＧ（Ｊｏｉｎｔ  Ｐｈｏｔｏｇｒａｐｈｉｃ  Ｅｘｐｅｒｔｓ  Ｇｒｏｕｐ）または他のフォーマットで記憶されたデジタル画像とするか、これを含めることができる。実施形態では、リンク可能媒体オブジェクト１１６は、同様に、Ｗｉｎｄｏｗｓ（登録商標）ＡＶＩ（Audio Video Interleaved）フォーマットなどのビデオクリップ、ＭＰ３（ＭＰＥＧ（Moving Picture Experts Group）  Ａｕｄｉｏ）または他のフォーマットなどのオーディオサンプルまたはオーディオファイルなどの他のタイプの媒体または混合されたタイプの媒体とするか、これを含めることができる。他の媒体タイプ、フォーマット、ファイル、およびソースが可能である。
【００１１】
図２からわかるように、リンク可能媒体オブジェクト１１６の任意の１つまたは複数またはすべてを、マウスカーソルまたはユーザインタフェース１１２の他の要素を操作することによるなど、媒体対応メッセージ１１０の受信側によって選択可能またはアクティブ化可能とすることができる。リンク可能媒体オブジェクト１１６の任意の１つまたは複数をクリックするか他の形でリンクまたはアクティブ化することによって、図３に示されたプレイヤなどのメディアプレイヤ１１８が自動的に透過的に呼び出される。図からわかるように、図２に示されたリンク可能媒体オブジェクト１１６組の中で１つ（山）の画像を選択することによって、図３に示されているようにブラウザまたは他のツールを開始することができ、このブラウザまたは他のツール内でまたはこれに関して、スライドショータイプまたは他のメディアプレイヤ１１８を実行または操作して、選択された媒体オブジェクトの質の向上した表現を提示することができる。図からわかるように、画像の場合の質の向上した表現は、画像の高解像度バージョンとするか、これを含めることができる。その質の向上した表現を、リンク可能媒体オブジェクト１１６の選択された１つのアクティブ化の時に、媒体サーバ１０８から自動的にダウンロードまたはアクセスすることができる。したがって、電子メールをブラウズし、電子メールインボックスまたは他のメッセージングサービスから選択された媒体オブジェクトを見ることを選択するユーザに、質の向上したコンテンツを検索し、表示または再生するためのユーザによる別々のアクションが不要である限り、電子メールアクティビティ内で連続の印象を与えることができる。実施形態では、メディアプレイヤ１１８または他の媒体プレゼンテーションツールが、新しいブラウザまたは他のウィンドウを開くのではなく、動作中の電子メールクライアントまたは他のツール自体の中から１つまたは複数の選択されたリンク可能媒体オブジェクト１１６の質を高められた表現を提示できることに留意されたい。プレゼンテーションの他のインタフェースおよびタイプが可能である。
【００１２】
図４に示された、媒体対応メッセージ１１０のコンポジションに関して、メッセージ用の媒体コンテンツを選択し、配置しているユーザに、たとえば電子メールクライアントまたは他のメッセージングツール内でまたはこれに関連して、コンポジションインタフェース１２０を提示することができる。図からわかるように、コンポジションインタフェースに、送信側ユーザがそのユーザの嗜好および選択されたスタイルに従って媒体対応メッセージ１１０に画像および他の媒体を埋め込めるようにする、ドロップダウン画像選択、プレビュー、編集、レイアウト、キャプショニング、ならびに他のツールおよびユーティリティのグループを含めるか、これを提示することができる。
【００１３】
たとえば、Ｍｉｃｒｏｓｏｆｔ  Ｎｅｔｗｏｒｋ（ＭＳＮ）電子メールクライアント、Ｏｕｔｌｏｏｋ（商標）、またはＯｕｔｌｏｏｋ  Ｅｘｐｒｅｓｓ（商標）などの電子メールクライアントと共に操作される時に、ユーザは、コンポジションインタフェース１２０の異なるオプションをクリックして、アップロードされたカメラファイルまたは他のファイルなどのデジタル画像のグループを挿入することができる。ユーザが、画像を挿入し、「ｓｅｎｄ（送信）」オプションをクリックした時に、媒体対応メッセージ１１０を、電子メールアウトボックスに転送することができ、この転送は、時間が短い可能性がある。電子メールアウトボックスに達した時に、挿入されたリンク可能媒体オブジェクト１１６に対応するフル解像度または他の形で質の向上した画像のアップロードを、媒体サーバ１０８あるいは他のリポジトリまたは他の宛先に向けて自動的に開始することができる。たとえばインターネット接続を介するアップロード処理が、失敗するか予想されない形でストールする場合に、実施形態では、そのような例外をトラップすることができ、アップロードを、ユーザ介入なしで自動的に再開することができる。
【００１４】
実施形態では、電子メールアウトボックスに達する媒体対応メッセージ１１０を、他の非媒体電子メールと別々のキューに置くことができ、その結果、転送を並列に継続でき、これらのテキストベースのメッセージまたは他のメッセージの転送を低速化せず、またはこれに影響しない。実施形態では、高解像度画像の成功裡の転送を妨げる媒体サーバ１０８、ネットワーク１０４への接続、または他のリソースの、ハードクラッシュの場合に、ユーザに、たとえばポップボックスまたは返信電子メールを介して、アップロードが完了しなかったことをメッセージによって警告することができる。この場合に、媒体対応メッセージ１１０の送信側に、たとえば、後にもう一度アップロードを試みるか、メッセージ自体に含まれるリンク可能媒体オブジェクト１１６の低解像度バージョンを受信側が見ることを制限するバージョンの媒体対応メッセージ１１０を送信するオプションを与えることができる。さらなる実施形態では、コンポジションインタフェース１２０を使用して、送信側ユーザがオフラインである間に電子メールメッセージまたは他のタイプの媒体対応メッセージ１１０を構成することができ、ネットワーク１０４への接続時または他の時に、記憶された画像または他のファイルが電子メールアウトボックスに行く。他のタイプのユーザ通知およびトラフィック管理が可能である。
【００１５】
実施形態では、媒体対応メッセージ１１０に含まれるリンク可能媒体オブジェクト１１６に、デジタル権利管理、記憶、および配布制御を含むさまざまな目的のためにデジタル署名または指紋を含めることができる。たとえば、リンク可能媒体オブジェクト１１６のそれぞれに、たとえば媒体サーバ１０８にアップロードされる画像または他のオブジェクトの重複する記憶を避けるために、エンコードされた画像の一意識別子を含めることができる指紋を含めることができる。アップロード日付または他の情報などの他のデータも、含めることができる。これによって、インターネットサービスプロバイダまたは他などの媒体サーバ１０８の所有者またはオペレータが、データベースおよび他のリソースでの画像および他のコンテンツの記憶を管理できるようにすることができる。実施形態では、リンク可能媒体オブジェクト１１６のそれぞれに、ストレージリソースを節約し、管理するために、３０日または他の期間などの所定の寿命を与えることができる。他の実施形態では、リンク可能媒体オブジェクト１１６に組み込まれるデジタル署名によって、たとえば画像の編集を許可するか否か、あるいはエンコードされた音楽または他の媒体の複製を許可するか否かなど、配布のタイプおよび形を制御することができる。セキュリティおよび制御の他のタイプが可能である。
【００１６】
本発明の実施形態による全体的なメッセージ処理を、図５に示す。ステップ５０２で、ユーザは、コンポジションインタフェース１２０または他のインタフェースの「Ｐｈｏｔｏｓ（写真）」または他の媒体オプションを選択し、「Ｓｅｎｄ  ｉｎ  Ｅｍａｉｌ（電子メールで送信）」オプションをクリックすることができる。その後、処理をステップ５１０に進めることができる。ステップ５１０では、電子メールクライアントのアプリケーションプログラミングインタフェース（ＡＰＩ）を呼び出して、媒体対応メッセージ１１０として電子メールを生成することができる。そのメッセージに、１つまたは複数のリンク可能媒体オブジェクト１１６として、選択されたデジタル画像または写真を含めることができる。その後、処理をステップ５１４に進めることができる。
【００１７】
あるいは、ステップ５０４で、ユーザは、たとえば電子メールクライアントまたは他のアプリケーションを使用して、新しい電子メールメッセージまたは他のメッセージフォーマットのコンポジションを開始することができる。その後、処理をステップ５１４に進めることができる。
【００１８】
あるいは、ステップ５０６で、ユーザは、アナログフィルム現像ページまたは他のウェブまたは他のソースからの現像された画像または他の媒体のロールを共有することができる。その後、処理をステップ５１２に進めることができる。ステップ５１２では、電子メールクライアントＡＰＩまたは他のアプリケーションプログラミングインタフェースまたは他のインタフェースを呼び出して、新しい電子メールまたは他の媒体対応メッセージ１１０を作成することができ、この媒体対応メッセージ１１０には、アナログフィルム現像ウェブページまたは他のソースから生成されたコンテンツの場合に、共有される写真または他の媒体へのリンクをリンク可能媒体オブジェクト１１６として含むＨＴＭＬ（Hyper Text Markup Language）コードを含めることができる。その後、処理をステップ５１４に進めることができる。
【００１９】
あるいは、ステップ５０８で、ユーザは、たとえば媒体対応メッセージ１１０に追加の媒体オブジェクトを追加するために、１つまたは複数のリンク可能媒体オブジェクト１１６を含む既存の媒体対応メッセージ１１０を転送するか、これに返信するか、他の形で応答することができる。その後、処理をステップ５１４に進めることができる。
【００２０】
ステップ５１４で、処理を進めて、電子メールクライアント、他のメッセージングアプリケーション、またはメッセージングツールを実行して、たとえば、媒体対応メッセージ１１０内の１つまたは複数のリンク可能媒体オブジェクト１１６のレイアウトおよびコンテンツを構成し、編集し、キャプションを追加し、または他の形で配置することができる。
【００２１】
ステップ５１６で、ユーザは、コンポジションインタフェース１２０または他のインタフェースで「Ｉｎｓｅｒｔ  Ｐｈｏｔｏｓ（写真を挿入する）」オプションをクリックまたはアクティブ化することができる。ステップ５１８で、電子メールクライアントまたは他のアプリケーションが、関連するＡＰＩを呼び出して、写真ピッカ（ｐｈｏｔｏ  ｐｉｃｋｅｒ）または他のツールを開始することができる。ステップ５２０で、写真ピッカまたは他のツールが、ユーザの選択した写真、ビデオクリップ、オーディオサンプル、または他の媒体を返すことができる。ステップ５２２で、新しい写真または他のリンク可能媒体オブジェクト１１６を、電子メールまたは他の媒体対応メッセージ１１０に追加することができる。その後、処理を、ステップ５１４のエディタ処理に戻すことができる。
【００２２】
ステップ５２４で、ユーザは、コンポジションインタフェース１２０の「ｐｒｅｖｉｅｗ  ｏｎｌｉｎｅ  ｓｌｉｄｅｓｈｏｗ（オンラインスライドショーをプレビューする）」をクリックまたはアクティブ化することができる。ステップ５２６で、スライドショービューワ、他のメディアプレイヤ１１８、または他のツールをアクティブ化することができる。ステップ５２８で、ユーザは、スライドショービューワ、他のメディアプレイヤ１１８、または他のツールを閉じることができる。
【００２３】
ステップ５３０で、ステップ５１４または他のステップの編集アクティビティの後に、ユーザが、「ｓｅｎｄ」オプションをクリックまたはアクティブ化することができる。「ｓｅｎｄ」オプションをアクティブ化することは、本発明によれば、ある点で、送信側に、非媒体対応電子メールメッセージの操作または送信と同じに見える。というのは、パブッシュアクティビティが自動的に呼び出されるからである。ステップ５３２で、電子メールまたは他の媒体対応メッセージ１１０をアウトボックスに送ることができ、その間に、ユーザに、実施形態では、媒体対応メッセージ１１０の媒体サーバ１０８または他のリソースへのパブリッシュの状況を提示することができる。ステップ５３４で、電子メールクライアントまたは他のクライアントが、関連するＡＰＩを呼び出して、デジタル画像、写真、または他の媒体をパブリッシュすることができ、その間に、媒体対応メッセージ１１０はアウトボックスに留まることができる。ステップ５３６で、デジタル写真ツールまたは他のツールが、写真または他の媒体をリンク可能媒体オブジェクト１１６として媒体サーバ１０８にパブリッシュすることができ、媒体対応メッセージ１１０を介してアクセス可能なリンク可能媒体オブジェクト１１６の位置を指定する最終的なＵＲＬを返すことができる。デジタル写真ツールまたは他のツールは、転送されたコンテンツまたは共有されるコンテンツのすべてを含めて、リンク可能媒体オブジェクト１１６に含まれるかこれに関連する満了日付も更新することができる。この時間中に、媒体対応メッセージ１１０は、電子メールアウトボックス、他のキュー、または他の保持場所に留まることができる。
【００２４】
ステップ５３８で、電子メールクライアント、他のメッセージングクライアント、またはメッセージングツールが、リンク可能媒体オブジェクト１１６の最終的な１つまたは複数のＵＲＬを用いて媒体対応メッセージ１１０を更新することができ、その媒体対応メッセージ１１０を受信側に送信することができる。電子メールクライアントの場合に、媒体対応メッセージ１１０またはそのメッセージの表現を、「ｓｅｎｔ（送信済み）」ボックス、他のメッセージングボックス、またはメッセージングフォルダに置くことができる。
【００２５】
本発明の前述の説明は、例示的であり、構成および実施形態における修正を、当業者は思い浮かべるであろう。たとえば、本発明を、記憶された画像の低解像度表現またはサムネイル表現を埋め込む１つまたは複数の電子メールメッセージに関して説明したが、実施形態では、オーディオクリップ、ストリーミングビデオ、他のタイプの媒体、または媒体のタイプの組合せを組み込むことができる。
【００２６】
同様に、本発明について、実施形態では、媒体オブジェクトを埋め込む電子メールメッセージを生成するものとして説明したが、実施形態では、オンラインチャットフォーラム、ウェブログ、または他などのメッセージまたはメッセージングの他のタイプまたはフォーマットによって、本発明に従って媒体を埋め込むか送信することができる。さらに、本発明について、単一の媒体サーバにアクセスするものとして説明したが、実施形態では、複数のサーバにアクセスすることができ、各サーバが、１つまたは複数のタイプのファイルまたは媒体をサービスすることができる。実施形態では、分散媒体サーバが使用される場合に、分散媒体サーバが、クライアント／サーバベースではなくピアツーピアで動作することができる。単数として記載された他のハードウェア、ソフトウェア、または他のリソースを、実施形態では、分散することができ、同様に、実施形態では、分散として記載されたリソースを組み合わせることができる。したがって、本発明の範囲は、請求項のみによって制限される。
【図面の簡単な説明】
【００２７】
【図１】本発明の実施形態による、媒体対応メッセージプラットフォームが動作できるネットワークを示す図である。
【図２】本発明の実施形態による媒体対応メッセージを示す図である。
【図３】本発明の実施形態による媒体対応メッセージからの媒体オブジェクトの提示を示す図である。
【図４】本発明の実施形態による、媒体対応メッセージのコンポジションを示す図である。
【図５】本発明の実施形態による、総合的なメッセージ処理を示す流れ図である。
【図１】
2007513423.tif 000003
【図２】
2007513423.tif 000004
【図３】
2007513423.tif 000005
【図４】
2007513423.tif 000006
【図５】
2007513423.tif 000007
【国際調査報告】
2007513423.tif 000008